(57)【要約】      （修正有）【課題】従来の冷凍した保冷剤入り首巻タオルの首部だけでは人体を冷やすのに不十分のため、首部以外に背中部も冷やすことができるための首巻きタオルを提供する。【解決手段】水平方向に伸びる首部本体１と、首部本体１の内部に設けた首部保冷剤９と、首部本体１の一部に設けた背中部本体４と、背中部本体４の内部に設けた背中部保冷剤と、首部本体１の内部に設けた首部断熱シ−ト７と、背中部本体４の内部に設けた背中部断熱シ−ト８を備えた。【選択図】図３
0003223616.tif 000002
【実用新案登録請求の範囲】
【請求項１】
水平方向に伸びる首部本体と、前記首部本体の内部に設けた首部保冷剤と、前記首部本体の一部に設けた背中部本体と、前記背中部本体の内部に設けた背中部保冷剤と、前記首部本体の内部に設けた首部断熱シ−トと、前記背中部本体の内部に設けた背中部断熱シ−トを備えたことを特徴とする保冷剤入り首巻きタオル。
【請求項２】
前記部首保冷剤および前記背中部保冷剤は、ゲル状のものであることを特徴とする請求項１記載の保冷剤入り首巻タオル。
【請求項３】
前記首部断熱シートおよび前記背中部断熱シ−トは、アルミニウム層に弾力性のある発泡体シートが積層されたシ−トあることを特徴とする請求項１記載の保冷剤入り首巻タオル。
【請求項４】
前記首部断熱シートおよび前記背中部断熱シ−トの大きさは、縦横の幅が保冷剤の縦横のそれぞれの幅と同等かそれよりも大きいことを特徴とする請求項１記載の保冷剤入り首巻タオル。
【請求項５】
前記首部保冷剤および前記背中部保冷剤と重ねる前記首部断熱シートおよび前記背中部断熱シ−トは、人体に接触する側とは反対側に前記首部断熱シートおよび前記背中部断熱シ−トが全面に覆われていることを特徴とする請求項１記載の保冷剤入り首巻タオル。
【請求項６】
前記首部本体および前記背中部本体は、扁平状の筒または袋であって、前記首部本体の一部に首部保冷剤入口の開口部と前記首部本体の反対側の一部に保冷剤止め口を有し、また、前記背中部本体の一部に背中保冷剤入口を有することを特徴とする請求項１記載の保冷剤入り首巻タオル。
【請求項７】
保冷剤入り首巻タオルを装着するときは、例えばゴムベルトの取り付部分は、保冷剤入り首巻きタオルの前記首部保冷剤入口の開口部とは反対側の前記保冷剤止め口の開口部側の一部にゴムベルトを有することを特徴とする請求項１記載の保冷剤入り首巻タオル。
【考案の詳細な説明】
【技術分野】
【０００１】  本考案は、首部および背中部を保冷するための、保冷剤の入った首巻きタオルに関するものである。【０００２】  従来、夏場の暑い時期に、首巻きタオルを用いて、例えば入浴介護やビニ−ルハウス、屋外での作業において、人体（身体の上半身）を冷していた。
【先行技術文献】
【特許文献】
【０００３】
【特許文献１】特開平２０１０−１７４３９７
【考案の概要】
【考案が解決しようとする課題】
【０００４】  しかしながら、従来のものでは、夏場の暑い時期、入浴介護やビニ−ルハウス、屋外での作業時の体力の消耗に対し、首部だけでは人体（身体の上半身）を冷やすのには不十分であった。
【課題を解決するための手段】
【０００５】  請求項１に記載の保冷剤入り首巻きタオルは、首部のリンパに近い所や背中部にも配置することで、冷凍保冷剤の低い温度により人体（身体の上半身）の発熱を除去出来る。
【考案の効果】
【０００６】  上述の様に、保冷剤を入れた首巻タオルを用いて、保冷剤を首部だけでなく背中部にも配置することで人体（身体の上半身）を充分に冷やす事が出来る。また、積層されたシートを用いて、積層シ−トを保冷剤の人体と接触する側の反対側に重ねて入れる事で外部からの熱を防御し、冷気を逃さず、使用時間を長引かせられる。
【図面の簡単な説明】
【０００７】
【図１】本考案の保冷剤入り首巻きタオルの実施例を示す正面図である。
【図２】本考案の保冷剤入り首巻きタオルの実施例を示す背面図である。
【図３】図２において、保冷剤入り首巻きタオルの断熱シ−トと保冷剤を入れた、内部を透視した図である。
【考案を実施するための形態】
【実施例】
【０００８】  以下、添付図面に従って一実施例を説明する。
図１は、本考案の保冷剤入り首巻きタオルの実施例を示す正面図である。図２は、本考案の保冷剤入り首巻きタオルの実施例を示す背面図である。図３は、図２において、保冷剤入り首巻きタオルの断熱シ−トと保冷剤を入れた、内部を透視した図である。
図１〜図３において、１は首部本体で例えば長さ７０ｃｍ、幅２８ｃｍの大きさからなるタオルの形状を二つ折りしたものである。２は保冷剤入口。３は保冷剤止め口で保冷剤のストッパ−の役目をする。４は背中部本体で例えば長さ１４ｃｍ、幅１９ｃｍの大きさからなるポケット状のものである。５は背中部保冷剤入口。６ａはゴムベルトで例えば３２ｃｍの長さのものを二つ折りにしたものであり、または、ボタンとボタンホ−ルもしくはホック一対でも可能である。６ｂはゴムベルトの縫い合わせ位置である。７は首部断熱シ−トで例えば長さ２５ｃｍ、幅１０ｃｍの大きさのものである。８は背中部断熱シ−トで例えば長さ１３ｃｍ、幅１７ｃｍの大きさのものである。９は首部保冷剤で例えば内容量５０ｇのものを３個用いる。１０は背中部保冷剤で例えば内容量１５０ｇのものを１個用いる。
なお、首部断熱シート、背中部断熱シ−トの大きさは、縦横の幅が保冷剤の縦横のそれぞれの幅と同等かそれよりも大きくしたしたものである。【０００９】  首部保冷剤９および背中部保冷剤１０は、ゲル状の市販されている物を用いており、首部断熱シート７および背中部断熱シ−ト８は、アルミニウム層に弾力性のある発泡体シートが積層されたシ−トを用いている。首部保冷剤９および背中部保冷剤１０と重ねている首部断熱シート７および背中部断熱シ−ト８は人体に接触する側とは反対側が全面に覆われている。さらに、首部本体１は首部保冷剤９および首部断熱シート７を出し入れ可能な扁平状の筒または袋であって、背中部本体４は背中部保冷剤１０および背中部断熱シ−ト８を出し入れ可能な扁平状の筒または袋であり、首部本体１の一部に首部保冷剤入口２の開口部と首部本体１の首部保冷剤入口２とは反対側の一部に保冷剤止め口３を有している。また、背中部本体４の一部に背中保冷剤入口５を有している。
さらに、保冷剤入り首巻タオルを装着する時は、例えばゴムベルト６ａの取り付部分は、首部保冷剤入口２の開口部とは反対側の保冷剤止め口３側の一部のゴムベルト縫い合わせ位置６ｂとゴムベルト６ａの取り付部分を縫い合わせてゴムベルト６ａを取り付ける。または、取り付け具には、ボタンとボタンホ−ル、一対のホックを用いても良い。
なお、首部本体および背中部本体の大きさ、形状あるいは材質については、上記に事例を説明しているが、特に限定されるものではない。【００１０】  次に、本考案の組み立て方法および使用方法を説明する。
首部本体１の首部保冷剤入口２より首部保冷剤９と人体の接触する側とは反対側に首部断熱シ−ト７を重ねて入れる。さらに、背中部本体４の背中部保冷剤入口５より背中部保冷剤１０と人体の接触する側とは反対側に背中部断熱シ−ト８を重ねて入れる。
保冷剤入り首巻きタオルに首部本体１および背中部本体４に首部保冷剤９および背中部保冷剤１０と首部断熱シ−ト７および背中部断熱シ−ト８を配置後、首部本体１および背中部本体４を人体に沿わせた後、ゴムベルト６ａに首部保冷剤入口２側を通して人体に密着させる。【００１１】  本考案の一実施例は、上述の如き構成からなるのもであるから、本考案の保冷剤入り首巻きタオルは首部および背中部に保冷剤を配置することで人体（身体の上半身）の発熱を除去し、首部断熱シ−ト７および背中部断熱シ−ト８を首部保冷剤９および背中部保冷剤１０の人体が接触する側の反対側に重ねて入れる事で外部からの熱が首部保冷剤９および背中部保冷剤１０に伝わるのを防御し、首部保冷剤９および背中部保冷剤１０の温度が上昇しにくくし、内部の冷気を逃すことを防ぎ使用時間を長引かすことができる。
また、襟巻きとしてゴムベルト６ａで止めることで体に密着させ、首部および背中部に当てた首部保冷剤９および背中保冷剤が人体からずれることなく、作業がしやすくなる。首巻きタオルは、タオルを用いた事でコスト面の問題も解決出来、汗を吸って非常に汚れても、首部保冷剤９および背中部保冷剤１０と首部断熱シ−ト７および背中部断熱シ−ト８を取り出し繰り返し洗濯をすることができる。
【符号の説明】
【００１２】１  首部本体
２  首部保冷剤入口
３  保冷剤止め口
４  背中部本体
５  背中部保冷剤入口
６ａ  ゴムベルト
６ｂ  ゴムベルト縫い合わせ位置
７  首部断熱シ−ト
８  背中部断熱シ−ト
９  首部保冷剤
１０  背中部保冷剤
【図１】
0003223616.tif 000003
【図２】
0003223616.tif 000004
【図３】
0003223616.tif 000005
【手続補正書】
【提出日】平成31年4月15日(2019.4.15)
【手続補正１】
【補正対象書類名】実用新案登録請求の範囲
【補正対象項目名】全文
【補正方法】変更
【補正の内容】
【実用新案登録請求の範囲】
【請求項１】
水平方向に伸びる首部本体と、前記首部本体の内部に設けた首部保冷剤と、前記首部本体の一部に設けた背中部本体と、前記背中部本体の内部に設けた背中部保冷剤と、前記首部本体の内部に設けた首部断熱シ−トと、前記背中部本体の内部に設けた背中部断熱シ−トを備えたことを特徴とする保冷剤入り首巻きタオル。
【請求項２】
前記首部保冷剤および前記背中部保冷剤は、ゲル状のものであることを特徴とする請求項１記載の保冷剤入り首巻タオル。
【請求項３】
前記首部断熱シートおよび前記背中部断熱シ−トは、アルミニウム層に弾力性のある発泡体シートが積層されたシ−トあることを特徴とする請求項１記載の保冷剤入り首巻タオル。
【請求項４】
前記首部断熱シートおよび前記背中部断熱シ−トの大きさは、縦横の幅が保冷剤の縦横のそれぞれの幅と同等かそれよりも大きいことを特徴とする請求項１記載の保冷剤入り首巻タオル。
【請求項５】
前記首部保冷剤および前記背中部保冷剤と重ねる前記首部断熱シートおよび前記背中部断熱シ−トは、人体に接触する側とは反対側に前記首部断熱シートおよび前記背中部断熱シ−トが全面に覆われていることを特徴とする請求項１記載の保冷剤入り首巻タオル。
【請求項６】
前記首部本体および前記背中部本体は、扁平状の筒または袋であって、前記首部本体の一部に首部保冷剤入口の開口部と前記首部本体の反対側の一部に保冷剤止め口を有し、また、前記背中部本体の一部に背中保冷剤入口を有することを特徴とする請求項１記載の保冷剤入り首巻タオル。